(57)【要約】【課題】自動的にファイル名を付与するときに、ファイル名を特定するのが容易な画像形成装置を提供する。【解決手段】原稿を読取部で読取り（ＳＰ２）、読取った画像データの中から文章データのフォントサイズを判別し（ＳＰ３）、判別したフォントサイズの中で最も大きいフォントサイズの文字列があるかを判別し（ＳＰ４）、最も大きいフォントサイズの文字列があれば、そのフォントサイズの文字列で画像データのファイル名を作成し（ＳＰ５）、作成したファイル名を画像データのファイル名として画像メモリに格納する（ＳＰ８）。【選択図】図２
2008003923.tif 000002
【特許請求の範囲】
【請求項１】
入力された画像データから文字認識処理を行って文字列のフォントサイズを判別する判別手段と、
前記判別手段によって判別したフォントサイズの中で最も大きいフォントサイズの文字列で、その画像データのファイル名を作成するファイル名作成手段とを備える、画像形成装置。
【請求項２】
格納手段と、
前記ファイル名作成手段によって作成されたファイル名を前記入力された画像データのファイル名として前記格納手段に格納する制御手段とを含む、請求項１に記載の画像形成装置。
【請求項３】
ファイル名を予め記憶するファイル名記憶手段を含み、
前記ファイル名作成手段は、前記判別手段によって判別されたフォントサイズが全て同じ大きさであることに応じて、前記ファイル名記憶手段に記憶されているファイル名を読出し、前記入力された画像データのファイル名とする、請求項１または２に記載の画像形成装置。
【請求項４】
ファイル名を入力するための入力手段を含み、
前記ファイル名作成手段は、前記判別手段によって判別されたフォントサイズが全て同じ大きさであることに応じて、前記入力手段から入力されたファイル名を前記入力された画像データのファイル名とする、請求項１または２に記載の画像形成装置。
【請求項５】
前記ファイル名作成手段によって作成されたファイル名を表示する表示手段と、
前記表示手段に表示されたファイル名をユーザが確認して、指示するための指示手段とを含み、
前記ファイル名作成手段は、前記指示手段から確認の指示がされたことに応じて、前記表示されたファイル名を前記画像データのファイル名とする、請求項１から４のいずれかに記載の画像形成装置。
【発明の詳細な説明】
【技術分野】
【０００１】
この発明は画像形成装置に関し、特に、入力された画像データにファイル名を付与して記憶するような画像形成装置に関する。
【背景技術】
【０００２】
デジタル複合機、プリンタ、ファクシミリ装置などの画像形成装置は、コピーしたデータやプリントデータをＨＤＤ（Ｈａｒｄ  Ｄｉｓｋ）に保存できるように構成されている。そのような装置の一例として、特開２００５−５６３１５号公報（特許文献１）には、画像のプリセット領域を対象に文字認識を行って、その文字認識で得られた文字または文字列のサイズや色を判断して、所定のサイズや色の文字を画像ファイル名とすることについて記載されている。
【特許文献１】特開２００５−５６３１５号公報（要約、図５）
【発明の開示】
【発明が解決しようとする課題】
【０００３】
特許文献１に記載されている装置は、プリセット領域で文字認識を行っているため、多数のユーザが使用する際に、同様のファイル名となりやすく、ファイル名として区別しにくく、検索したときに目的とする画像を探して印刷を行うのが不便であるという問題があった。
【０００４】
そこで、この発明の目的は、自動的にファイル名を付与するときに、ファイル名を特定するのが容易な画像形成装置を提供することである。
【課題を解決するための手段】
【０００５】
この発明は、入力された画像データから文字認識処理を行って文字列のフォントサイズを判別する判別手段と、判別手段によって判別したフォントサイズの中で最も大きいフォントサイズの文字列で、その画像データのファイル名を作成するファイル名作成手段とを備える。
【０００６】
具体的には、格納手段と、ファイル名作成手段によって作成されたファイル名を入力された画像データのファイル名として格納手段に格納する制御手段とを含む。
【０００７】
さらに、ファイル名を予め記憶するファイル名記憶手段を含み、ファイル名作成手段は、判別手段によって判別されたフォントサイズが全て同じ大きさであることに応じて、ファイル名記憶手段に記憶されているファイル名を読出し、入力された画像データのファイル名とする。
【０００８】
好ましくは、画像データを入力するための入力手段を含み、ファイル名作成手段は、判別手段によって判別されたフォントサイズが全て同じ大きさであることに応じて、入力手段から入力されたファイル名を入力された画像データのファイル名とする。
【０００９】
好ましくは、ファイル名作成手段によって作成されたファイル名を表示する表示手段と、表示手段に表示されたファイル名をユーザが確認して、指示するための指示手段とを含み、ファイル名作成手段は、指示手段から確認の指示がされたことに応じて、表示されたファイル名を画像データのファイル名とする。
【発明の効果】
【００１０】
この発明によれば、入力された画像データから文字認識処理を行って文字列のフォントサイズを判別し、判別したフォントサイズの中で最も大きいフォントサイズの文字列で、その画像データのファイル名を作成するようにしたので、自動的にファイル名を付与するときに、ファイル名を特定するのが容易になる。
【発明を実施するための最良の形態】
【００１１】
図１はこの発明の一実施形態における画像形成装置の一例のデジタル複合機１のブロック図である。図１において、デジタル複合機１は、制御手段として作動する制御部２と、読取部３と、指示手段および入力手段として作動する操作部４と、表示手段として作動する表示部５と、原稿送り装置６と、ＤＲＡＭ７と、印刷部８と、判別手段およびファイル名作成手段として作動する画像処理部９と、ファイル名記憶手段および格納手段として作動する画像メモリ１０と、ＦＡＸ通信部１１と、ネットワークＩＦ部１２とを含む。
【００１２】
制御部２はデジタル複合機１全体を制御するものであり、読取部３は、制御部２からの指令に応じて原稿送り装置６で送られた原稿から画像を読取って画像データをＤＲＡＭ７に出力する。操作部４はユーザが操作することでコピー枚数や用紙サイズなどを設定する。表示部５はコピー枚数などを表示するとともにファイル名を表示する。ＤＲＡＭ７は読取部３で読取られた画像データの書き込みや読出しを行う。
【００１３】
画像処理部９は、読取部３で読取られてＤＲＡＭ７に記憶されている画像データから文字認識処理を行う。画像メモリ１０は、印刷部８で印刷した画像データを作成されたファイル名で格納するものであり、例えばＨＤＤなどによって構成されている。なお、画像メモリ１０は予めファイル名も記憶している。印刷部８は取られた画像データに基づいて画像を印刷する。ＦＡＸ通信部１１は外部公衆電話回線とのインタフェースであり、ネットワークＩＦ部１２は、例えばＬＡＮ（Ｌｏｃａｌ  Ａｒｅａ  Ｎｅｔｗｏｒｋ）回線などのネットワークとのインタフェースである。
【００１４】
デジタル複合機１は、読取部３により読取った画像データを、ＤＲＡＭ７を介して印刷部８で画像を印刷することにより、複写機として作動する。また、デジタル複合機１は、ネットワークＩＦ部１２からネットワークを介して図示しないパーソナルコンピュータから画像データが送信されてくると、その画像データをＤＲＡＭ７を介して印刷部８に与えて画像を印刷することでプリンタとして作動する。さらに、デジタル複合機１は、ＦＡＸ通信部１１を介して公衆電話回線から送信された画像データを、ＤＲＡＭ７を介して印刷部８で画像を印刷することによりファクシミリ受信装置として作動する。さらに、デジタル複合機１は読取部３で読取られた原稿の画像データを、ＦＡＸ通信部１１を介して公衆電話回線に送信することで、ファクシミリ送信装置として作動する。
【００１５】
なお、図１において、太線の矢印は画像データの流れを示し、細線の矢印は制御信号または制御データの流れを示している。
【００１６】
図２はこの発明の一実施形態の動作を説明するためのフローチャートであり、図３は図１に示した読取部３で読取られた画像データの一例を示す図である。
【００１７】
以下の説明では、デジタル複合機１を複写機として作動させたものとして説明する。制御部２は、図２に示すステップ（図示ではＳＰと略称する）ＳＰ１において、原稿送り装置６に原稿がセットされているか否かを判別し、ユーザが原稿を原稿送り装置６にセットすると、ステップＳＰ２において、原稿が原稿送り装置６により読取部３に送られて読取られる。原稿から読取られた画像の画像データは、ＤＲＡＭ７に書込まれ、書込まれた画像データがＤＲＡＭ７から読出されて画像処理部９に与えられる。
【００１８】
画像処理部９は、ステップＳＰ３において、画像データから文字認識処理を行って文字列を認識してフォントサイズを判別する。ここでの文字認識処理は、ＯＣＲ（Ｏｐｔｉｃａｌ  Ｃｈａｒａｃｔｅｒ  Ｒｅａｄｅｒ）技術で一般的に使用されている技術を用いることができる。ステップＳＰ４において、認識した文字列の中から最も大きいフォントサイズの文字列があるか否かを判別する。
【００１９】
例えば、図３（Ａ）に示すように、技術説明書などの原稿２１に大きいフォントサイズの文字列２２と、小さなフォントサイズの文字列２３とが含まれているとすると、画像処理部９は最も大きいフォントサイズの文字列２２を判別する。ステップＳＰ５において、判別したフォントサイズの文字列２２でファイル名を作成し、ステップＳＰ６において、作成したファイル名を表示部５に表示する。
【００２０】
ユーザはその表示を見てファイル名を確認し、操作部４に含まれている確認キーを操作する。制御部２は、ステップＳＰ７において、確認キーが操作されたことを判別すると、ステップＳＰ８において、確認されたファイル名の文字列を読取部３で読取られた原稿の画像データのファイル名として画像メモリ１０に格納する。なお、画像データを画像メモリ１０に格納する前に、印刷部８でその画像データに基づいて画像を印刷する。
【００２１】
しかし、図３（Ｂ）に示すように、原稿２１に同じ大きさのフォントサイズの文字列２３しか含まれていない場合には、ステップＳＰ４において、最も大きいフォントサイズの文字列があることを判別できない。この場合には、ステップＳＰ９において、ファイル名が画像メモリ１０に登録されているか否かを判別する。このファイル名は工場で出荷時に予め画像メモリ１０に登録されているか、あるいはユーザが操作部４を操作して画像メモリ１０に登録しておいてもよい。ファイル名が登録されていることを判別すると、ステップＳＰ１０において、登録されているファイル名を表示部５に表示する。
【００２２】
もし、複数のファイル名が登録されていれば、ユーザが操作部４に含まれているファイル名選択キーを操作して選択できるようにしてもよい。ユーザがそのファィル名を画像データのファイル名として格納するときは確認キーを操作する。ステップＳＰ７において、ユーザが確認キーを操作したことを判別すると、ステップＳＰ８において、登録されているファイル名を画像データのファイル名として画像メモリ１０に格納する。
【００２３】
ステップＳＰ９において、ファイル名が画像メモリ１０に登録されていないことを判別したときには、ファイル名を入力して下さいと表示部５に表示する。ユーザがファイル名を入力すると、ステップＳＰ１１において、ファイル名が入力されたことを判別し、ステップＳＰ１２において、入力されたファイル名を表示部５に表示する。ユーザがそのファイル名を確認するためのキー操作を行うと、ステップＳＰ７でファイル名が確認されたことを判別し、ステップＳＰ８において、入力されたファイル名を画像データのファイル名として画像メモリ１０に格納する。
【００２４】
上述のごとく、この実施形態によれば、図３（Ａ）に示す原稿２１から読取った画像データの中から文章データのフォントサイズを判別し、最も大きいフォントサイズの文字列２２が含まれていれば、そのフォントサイズの文字列でファイル名を作成し、画像データのファイル名として画像メモリ１０に格納するようにしたので、ファイル名を特定するのが容易になる。しかも、原稿により種々のフォントサイズでファイル名を作成するので、同様のファイル名を少なくできる。この結果、画像メモリ１０に格納した画像データを検索するときに、フォントサイズに応じてファイル名の検索を行うことにより、ファイル名の検索が容易になる。
【００２５】
さらに、作成したファイル名をユーザが確認できるようにしたので、ユーザはファイル名が不適切であると判別したときに、作成したファイル名に代えて、任意のファイル名を操作部４から入力できるようにしておけば、ユーザの好みに応じたファイル名を設定できる。
【００２６】
図３（Ｂ）に示す原稿２１のように、画像データの文章データに同じ大きさのフォントサイズの文字列２３しか含まれていなければ、予め登録されているファイル名あるいは入力されたファイル名を画像データのファイル名として画像メモリ１０に格納できるので、ファイルが複数あってもそれぞれを容易に認識可能な任意のファイル名を画像データのファイル名とすることができる。
【００２７】
なお、上述の説明では、デジタル複合機１を複写機として作動させたが、ファクシミリ送信装置として作動させても、読取部３で読取った画像データの中から文章データのフォントサイズの文字列を判別してファイル名を作成できる。
【００２８】
また、デジタル複合機１をプリンタあるいはファクシミリ受信装置として動作させる場合には、パーソナルコンピュータやファクシミリ送信装置などから入力された画像データなどの電子データに基づいて文章データの文字認識を行って、フォントサイズの文字列を判別してファイル名を作成するようにしてもよい。
【００２９】
さらに、この発明はデジタル複合機１に限ることなく、ファクミリやコピー機やプリンタなどの単体機器に適用することもできる。
【００３０】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３１】
【図１】この発明の一実施形態における画像形成装置の一例のデジタル複合機のブロック図である。
【図２】この発明の一実施形態の動作を説明するためのフローチャートである。
【図３】図１に示した読取部で読取られた画像データの一例を示す図である。
【符号の説明】
【００３２】
１  デジタル複合機、２  制御部、３  読取部、４  操作部、５  表示部、６  原稿送り装置、７  ＤＲＡＭ、８  印刷部、９  画像処理部、１０  画像メモリ、１１  ＦＡＸ通信部、１２  ネットワークＩＦ部、２１  原稿、２２，２３  文字列。
【図１】
2008003923.tif 000003
【図２】
2008003923.tif 000004
【図３】
2008003923.tif 000005